(57)【特許請求の範囲】
【請求項１】
表面部と、前記表面部の背面から後方に延長する左右の控え部と、前記控え部の後端に一体に設けた控尻部とを少なくとも有するブロックであって、前記控え部の上端に受け凸部と係止凸部とを段状に突設し、前記係止凸部の前面部及び後面部には、ブロックの中央から側端に向って幅狭となる第１の前側傾斜面及び第１の後側傾斜面を形成し、前記表面部の裏面側縁部及び控尻部の表面側縁部には、ブロックを布積みした状態において、下側に位置するブロックの前記係止凸部の第１の前側傾斜面、及び第１の後側傾斜面に係合する第２の前側傾斜面及び第２の後側傾斜面を形成したことを特徴とする擁壁用コンクリートブロック。
【請求項２】
控え部の受け凸部は表面部の後面から控尻部の後面までの間に突設され、係止凸部は前記受け凸部の中央に位置して突設されている請求項１に記載の擁壁用コンクリートブロック。
【発明の詳細な説明】
【０００１】
【発明の属する技術分野】
本発明は、河川の護岸用として、若しくは道路、軌道または土地造成用の法面等の擁壁として構築することができる擁壁用コンクリートブロックに関するものである。
【０００２】
【従来の技術】
周知のように、護岸用として、若しくは擁壁用としての構築用コンクリートブロックは、多数の構造のものが知られている。
例えば、実開平７−２５０２７号公報に記載のコンクリートブロックは、控え部の上下に相互に係合する凸部と凹部とを形成し、布積み状態において上下に積層するブロックの凹部を凸部に係合させることにより、胴込めコンクリートを充填しなくても積み上げることができるようにしたものである。
【０００３】
【発明が解決しようとする課題】
前記した従来のコンクリートブロックは、控え部の上下の凸部と凹部とによって単に積み上げているだけであるから、充分な積み上げ強度を確保することができない。また、表面部の上縁に突起を形成して上下のブロック間に突起の高さ分の隙間を形成することにより、護岸用として使用した場合に水中生息物が通過できるようにしているが、水面上での構築に際してはほとんど意味がない。
したがって、護岸用であれば水面下でも水面上においても使用することができ、また山岳地方の道路用や軌道用の法面、宅地造成用の法面ばかりでなく土留め用として使用することができ、多目的で汎用性が高く、しかも構築強度が著しく高い擁壁用ブロックが要望されている。
【０００４】
【課題を解決するための手段】
本発明は、前記従来からの欠点と要望とに鑑み提案されたもので、表面部と、前記表面部の背面から後方に延長する左右の控え部と、前記控え部の後端に一体に設けた控尻部とを少なくとも有するブロックであって、前記控え部の上端に受け凸部と係止凸部とを段状に突設し、前記係止凸部の前面部及び後面部には、ブロックの中央から側端に向って幅狭となる第１の前側傾斜面及び第１の後側傾斜面を形成し、前記表面部の裏面側縁部及び控尻部の表面側縁部には、ブロックを布積みした状態において、下側に位置するブロックの前記係止凸部の第１の前側傾斜面、及び第１の後側傾斜面に係合する第２の前側傾斜面及び第２の後側傾斜面を形成したことを特徴とする。
【０００５】
また本発明によれば、控え部の受け凸部は表面部の後面から控尻部の後面までの間に突設され、係止凸部は前記受け凸部の中央に位置して突設されている構成をも含むものである。
【０００６】
【発明の実施の形態】
以下に本発明の実施の形態を図面に基づいて詳細に説明する。
図１は本発明の擁壁用コンクリートブロックの実施の形態を示す斜視図、図２は側面図、図３は平面図、図４は横断平面図、図５は図３のＡ−Ａ線の断面図、図６は図３のＢ−Ｂ線の断面図、図７は本発明のブロックを布積みした擁壁の縦断側面図、図８は同上の一部の縦断平面図、図９は同上の概略正面図である。
【０００７】
本発明の擁壁に使用するコンクリートブロック１は、横長な四辺形の表面部２と、前記表面部２の背面から後方に向かってほぼ直角に延長する左右の縦板状控え部３と、前記各控え部３の後端に一体に設けた控尻部４とをコンクリートにより一体に成形した構成で、前記控尻部４は表面部２と同様に横長な四辺形の板状である。
【０００８】
前記表面部２は厚手の板状で、前面に鉄平石、その他の自然石模様を形成したり張り付け、若しくは景観を高めるための処理をすることができ、その一例として、、例えば横方向の段を複数に形成して土砂などを充填し、植生可能にしてもよい。そして、前記表面部２において、左右の側縁部から横幅の約３分の１の位置に前記縦板状の控え部３を設けてあり、また控え部３の後端に表面部２と平行な厚板状の控尻部４を設けてある。
【０００９】
したがって、コンクリートブロック１には、表面部２の中央部分の裏面と控尻部４の中央部分の表面、及び左右の控え部３の対向面によって囲まれる部分に、上下方向に貫通する縦空間部５が形成され、また表面部２の側部裏面、控尻部４の側部表面及び各控え部３の外側面とによって囲まれる部分には、上下及びブロック１の側縁に開放する縦開口空部６が左右に形成されている。
【００１０】
前記各控え部３の上端部には、表面部２の上端面より上方に突出する受け凸部３１と係止凸部３２とを２段状に突設する。前記受け凸部３１は、前端が表面部２の後面に一致し、後端が控尻部４の後面に一致するので、表面部２の後面から控尻部４の後面の長さ分だけ突出している。
【００１１】
そして、前記係止凸部３２は、図２で示すように受け凸部３１の前後方向の中央部分に位置し、また図１，３で示すように、前側部及び後側部には、ブロック１の中央部分から側端部分に向かって幅狭となる第１の前側傾斜面３２１，第１の後側傾斜面３２２が形成されている。
更に、前記控え部３の下端には、上方に向かって山形となる切欠部３３が形成されている。
【００１２】
また、前記縦開口空部６の一部を構成する表面部２の裏面側縁部と、控尻部４の表面側縁部とには、控え部３からブロック１の開放する側縁に向かって幅広となるように第２の前側傾斜面２１と第２の後側傾斜面４１とが形成され、両傾斜面２１、４１の傾斜状態は、前記第１の前側傾斜面３２１及び第１の後側傾斜面３２２の傾斜状態に対し相反する方向であるが傾斜角度が一致する。また、第２の前側傾斜面２１と第２の後側傾斜面４１との対向間隔は、前記係止凸部３２の前後方向の長さにほぼ等しいので、第１の前側傾斜面３２１と第２の前側傾斜面２１，及び第１の後側傾斜面３２２と第２の後側傾斜面４１とがそれぞれ係合することができる。
【００１３】
前記構成のブロック１を使用して法面などに擁壁１１を構築するには、ブロック１を左右方向に並設するとともに上下方向に積み上げるのであるが、上下に隣り合うブロック１相互を、ブロック１の横幅の２分の１だけ位置をずらせて布積み（図７から図９）すると、下側に位置するブロック１の受け凸部３１の上面前後に、上側に位置するブロック１の表面部２の側端下面と控尻部４の側端下面が載置され、下側のブロック１の第１の前側傾斜面３２１と上側のブロック１の第２の前側傾斜面２１の下端とが係合し、また上側のブロックの第１の後側傾斜面３２２と下側のブロックの第２の後側傾斜面４１とが係合する。そして、各部ロック１は、隣り合う上下、左右のブロック１において、前記各傾斜面の係合が、左右の側縁下端と、受け凸部３１と係止凸部３２とにより生じているので、前後方向にも左右方向にもずれ動くことができないため、間詰めコンクリートや鉄筋などを使用しない空積み状態であっても、きわめて強固な擁壁１１を構築することができる。
【００１４】
そして、上下に重なるブロック１においては、下側のブロック１の上面と上側のブロック１の下面との間には受け凸部３１の高さ分に相当する横隙間１２が発生するとともに（図７，９）、下側に位置するブロック１に対して上側に位置するブロック１が、受け凸部３１の位置によって表面部２の厚さ分だけ後方に位置して階段状になって積み上げられる（図７，８）。しかも、左右に並列するブロックにおいては、ブロックの左右の控え部３の間隔だけの縦隙間１３が発生する（図８，９）。
【００１５】
更に、各ブロック１を積み上げた擁壁１１においては、左右に隣り合うブロック１の対向する縦開口空部６の上下に、上側、下側に位置するブロック１の縦空間部５が連続して位置するので、縦開口空部６と縦空洞部５とが上下方向において交互に連通する縦方向の空洞部が構成され、この各縦方向の空洞部が各ブロック１の切欠部３３により横方向にも連通することになる。
【００１６】
したがって、前記のように構築された擁壁１１においては、擁壁１１の背面と法面との間、及び各ブロックの表面部２と控え尻部４とで構成される縦空間部５や縦開口空部６、及び前記横隙間１２や縦隙間１３等などの空洞部分に、砂利、礫、砂、土砂等の充填材を充満させると、胴込めコンクリート、間詰めコンクリート及び鉄筋等を使用しなくてもきわめて強固な擁壁を簡単に構築することができる。
【００１７】
以上本発明を図面に示す実施の形態に基づいて説明したが、本発明は前記実施の形態に限定されるものではなく、特許請求の範囲に記載の構成を変更しない限りどのようにでも実施することができる。
【００１８】
【発明の効果】
以上要するに本発明は、表面部と、前記表面部の背面から後方に延長する左右の控え部と、前記控え部の後端に一体に設けた控尻部とを少なくとも有するブロックであって、前記控え部の上端に受け凸部と係止凸部とを段状に突設し、前記係止凸部の前面部及び後面部には、ブロックの中央から側端に向って幅狭となる第１の前側傾斜面及び第１の後側傾斜面を形成し、前記表面部の裏面側縁部及び控尻部の表面側縁部には、ブロックを布積みした状態において、下側に位置するブロックの前記係止凸部の第１の前側傾斜面、及び第１の後側傾斜面に係合する第２の前側傾斜面及び第２の後側傾斜面を形成した構成である。
【００１９】
したがって、布積み状態では上下、左右に隣り合うブロック相互が、第１の前側傾斜面と第２の前側傾斜面、及び第１の後側傾斜面と第２の後側傾斜面とが係合して固定状になるので、間詰めコンクリート、胴込めコンクリート及び鉄筋などを使用しなくても著しく強度の高い擁壁を構築できるし、擁壁の構築現場においてはクレーンなどで上昇、移動して位置合わせするだけできわめて簡単に設置することができる。このため、山岳地帯、河川などどのような現場であっても確実に、迅速に構築作業をすることができる。
また、各コンクリートブロックに形成されている空間部や空洞部に土砂、礫、その他の充填材を充填すると、後側の法面などからの土圧に対する強度を著しく高めることができるし、上下左右に隣り合うブロック相互において、受け凸部と係止凸部とにより隙間が形成されるので、前記充填材により生長する植物が前記隙間から擁壁の表面にまで繁茂することができる。そのため、擁壁の表面が植生されるので、擁壁周囲の景観を損なうことがなく、著しく実用的価値の高いものとなる。
【図面の簡単な説明】
【図１】本発明の擁壁用コンクリートブロックの実施の形態を示す斜視図である。
【図２】図１の側面図である。
【図３】図１の平面図である。
【図４】図１の横断平面図である。
【図５】図３のＡ−Ａ線の断面図である。
【図６】図３のＢ−Ｂ線の断面図である。
【図７】本発明のブロックを布積みした擁壁の縦断側面図である。
【図８】図７の一部の縦断平面図である。
【図９】図７の概略正面図である。
【符号の説明】
１  ブロック
２  表面部
３  控え部
４  控尻部
５  縦空間部
６  縦開口空部
１１  擁壁
１２  横隙間
１３  縦隙間
２１  第２の前側傾斜面
３１  受け凸部
３２  係止凸部
３３  切欠部
４１  第２の後側傾斜面
３２１  第１の前側傾斜面
３２２  第１の後側傾斜面
【図１】
0003556545.tif 000002
【図２】
0003556545.tif 000003
【図３】
0003556545.tif 000004
【図４】
0003556545.tif 000005
【図５】
0003556545.tif 000006
【図６】
0003556545.tif 000007
【図７】
0003556545.tif 000008
【図８】
0003556545.tif 000009
【図９】
0003556545.tif 000010